Podtech/llm-jp-corpus-v4-ja_patent huggingface dataset:
(57)【要約】【課題】走行機能を備えた自動車玩具において、暗い場所で走行させた場合に車体の存在感、移動感、スピード感を高める視覚的効果を得ることを可能とする自動車玩具を提供する。【解決手段】走行機能を備えた自動車玩具（２）において、車体の底面に紫外線照明装置（１）を備え、走行路の路面（３）を照射するようにしたことを特徴とする。【選択図】図１
2004223220.tif 000002
【特許請求の範囲】
【請求項１】
走行機能を備えた自動車玩具（２）において、車体の底面に紫外線照明装置（１）を備え、走行路の路面（３）に紫外線を照射するようにしたことを特徴とする自動車玩具。
【発明の詳細な説明】
【０００１】
【発明の属する技術分野】
本発明は、走行路の路面に車体から紫外線を照射することによって紫外線を受けて発光する機能を有した走行路において、従来よりも高い視覚的効果を得られるようにした走行機能を備えた自動車玩具に関するものである。
【０００２】
【従来の技術】
従来、走行機能を備えた自動車玩具には、ヘッドライトやブレーキランプ等を模して、可視光線を車体の前後方向に放つ照光機能を備えたものがあった。
【０００３】
【発明が解決しようとする課題】
これには、次のような欠点があった。
ヘッドライトやブレーキランプの照光はリアル感が演出出来るが、暗い場所で走行させた時には、これらのパーツの光だけが目立ってしまい車体の存在感、移動感、スピード感を、視覚的に充分面白く演出出来ているとはいえなかった。
本発明は、これらの欠点を失くすためになされたものである。
【０００４】
【課題を解決するための手段】
走行機能を備えた自動車玩具（２）において、車体の底面に紫外線照明装置（１）を備え、走行路の路面（３）に紫外線を照射するようにする。
本発明は以上の構成よりなる自動車玩具であり、紫外線を受けると発光する機能を有する走行路にて走行させることにより、課題を解決するようにしたものである。
【０００５】
【発明の実施の形態】
以下、本発明の実施の形態について説明する。
図１に本発明の断面図、図２に本発明の斜視図を示す。
（２）は走行機能を備えた自動車玩具であり、動力源を車体内部に備えるか、外部に備えるかは問わない。
また、図１，図２の自動車玩具は４輪車であるが、車輪の数は問わない。
【０００６】
この自動車玩具（２）の車体底面に紫外線照明装置（１）を設ける。
本発明でいう紫外線照明装置（１）とは、強い紫外線を含む光を照射する照明装置であり、この照射光に可視光線が含まれてはならないという意味ではない。
紫外線照明装置（１）の光源には小型で衝撃に強く消費電流が小さい紫発光ダイオードが適しており、図１，図２は光源を紫発光ダイオードとして図示している。
【０００７】
紫外線の照射方向は路面（３）に向け、路面（３）を照射せしめる。
紫外線は光源から直接路面（３）に照射させてもよく、反射鏡やプリズム等を用いて間接的に路面（３）に照射させてもよい。
【０００８】
紫外線照明装置（１）を設ける目的は、蛍光色の材料で出来た走行路等を走行させた場合に、紫外線照射によって車体周囲の路面を光らせることで車体の影を浮かび上がらせ、存在感を高める視覚効果を得ることであり、また、本発明とは別の発明であるところの図３に示す蓄光機能を路面に広く有した走行路（５）上を走行させた場合に、走行中に路面に備わる蓄光層（６）に紫外線によって光跡（４）を残すことにより、移動感、スピード感を強調する視覚効果を得ることである。
【０００９】
紫外線照明装置（１）は、紫外線照射、光源の保持、光源の保護、照射範囲の制限の機能を備えており、これらを満たせば車体の一部と一体化させてよい。図１では車体底面と一体化した状態を示している。
紫外線照明装置（１）の設置数は１箇所以上とし、視覚的効果を考慮して設置数を設定すればよい。
例えば、図２の（１ａ）のように車体前方２箇所に配置した場合、蓄光機能を有した走行路（５）走行時にヘッドライトの照光機能と併用すればヘッドライトの光が流れるように見える視覚効果が得られ、（１ｂ）のように車体後方２箇所に配置してブレーキランプの点灯と同時に紫外線照射するようにすれば、ブレーキランプの光が流れるように見える視覚効果が得られる。
図１，図２の実施例では紫外線照明装置（１）を各車輪の側に配置し、照明口を長方形形状とすることによって、蓄光機能を有した走行路（５）を走行させた場合に、タイヤの跡のような光跡（４）を描けるように考慮している。
本発明は以上のような形態によって視覚的効果を向上させるようにしたものである。
【００１０】
【発明の効果】
本発明により、暗い場所において蛍光色の材料で出来た走行路を走行させた場合に、車体周囲の路面を紫外線照射によって車体周囲の路面を光らせることで車体の影を浮かび上がらせ、車体の存在感を高める視覚効果を得ることが出来るようになる。
また、本発明とは別の発明であるところの、走行路面に蓄光機能を広い範囲に備えた走行路（５）を走行させた場合には、走行中に紫外線を照射した路面にある蓄光層（６）に光跡（４）を残すことによって車体の移動感、スピード感を高める視覚効果を得ることが出来るようになる。
また、車体のヘッドライトやブレーキランプの照光機能と、上記のような紫外線による発光効果を備えた走行路を併用すると、相乗効果によって一段と視覚的演出効果を増すことが出来る。
【図面の簡単な説明】
【図１】本発明の断面図
【図２】本発明の斜視図
【図３】本発明に対応した蓄光機能付き走行路
【符号の説明】
（１，１ａ，１ｂ）紫外線照明装置
（２）走行機能を備えた自動車玩具
（３）路面
（４）蓄光層の光跡
（５）蓄光機能を備えた走行路の断面図
（６）蓄光層
【図１】
2004223220.tif 000003
【図２】
2004223220.tif 000004
【図３】
2004223220.tif 000005
(57)【要約】【課題】予備のトイレットペーパーを最短距離、片手、簡単にトイレットペーパーホルダーのフックに装着でき、またはトイレットペーパー以外の小物も収納できる予備トイレットペーパー収納具を提供する。【解決手段】トイレットペーパーを載せられる受け部の両側にガイド部を設け、ガイド部の上部にひも状の吊り部を設けたことを特徴とする。【選択図】    図１
2004223213.tif 000002
【特許請求の範囲】
【請求項１】
トイレットペーパーを載せられる受け部の両側にガイド部を設け、ガイド部の上部にひも状の吊り部を設けた予備トイレットペーパー収納具。
【発明の詳細な説明】
【０００１】
【発明の属する技術分野】
この発明は、トイレットペーパーホルダーを利用し、簡単に予備のトイレットペーパーをフックに装着でき、また、予備のトイレットペーパーも簡単に補充できる予備トイレットペーパー収納具に関するものである。
【０００２】
【従来の技術】
従来、トイレットペーパーホルダーのカバーと壁に密着している背面との隙間にフックをぶら下げ、布製の筒状ケースにトイレットペーパーを収納していた。
【０００３】
【発明が解決しようとする課題】
これは、次のような欠点があった。
（イ）収納している予備のトイレットペーパーを装着するとき、筒状ケースから取り出さなければならなかった。布製であるため、片手で筒の口を広げ、もう一方の手で引き出さなければならず、手間がかかった。
（ロ）予備のトイレットペーパーを補充するときも同様、片手で筒の口を広げ、予備のトイレットペーパーを入れなければならず、手間がかかった。
（ハ）予備のトイレットペーパー以外の小物などは収納できなかった。
本発明は、これらの欠点を除くためになされたものである。
【０００４】
【課題を解決するための手段】
トイレットペーパーを載せられる受け部の両側にガイド部を設ける。そして、ガイド部の上部にひも状の吊り部を設ける。
本発明は、以上の構成よりなる予備トイレットペーパー収納具である。
【０００５】
【発明の実施の形態】
以下、本発明の第１の実施の形態について説明する。
（イ）予備のトイレットペーパーを載せられる受け部（１）の正面と背面に落下防止用の縁（５）（５）を設ける。
（ロ）受け部（１）の両側に上部が広がる角度でガイド部（２）（２）を設ける。
（ハ）両側のガイド部（２）（２）の上部に吊り部（３）（３）を装着する取り付け穴（４）（４）を設ける。
（ニ）厚さが薄く、帯状のひもの吊り部（３）（３）を両側のガイド部（２）（２）の取り付け穴（４）（４）に装着する。
本発明は以上のような構造よりなっている。
これを使用するときは、トイレットペーパホルダー（６）のフック（７）（７）に装着されているトイレットペーパーを取り外し、本発明のひも状の吊り部（３）（３）を両側のフック（７）（７）に吊るす。この状態で、取り外したトイレットペーパーをフック（７）（７）に装着し、受け部（１）に予備トイレットペーパー（８）を置く。
トイレットペーパーを使い切った場合、まず、トイレットペーパーの芯をフック（７）（７）から外す。受け部（１）に載った予備トイレットペーパー（８）を掴み、そのまま持ち上げるとフック（７）（７）に装着できる。装着するときフック（７）（７）が垂直になり、トイレットペーパーホルダーの両側の内部に格納されるが、吊り部（３）（３）がひものため、吊り部（３）（３）はフック（７）（７）から外ずれず、本発明を吊った状態を保持する。最後に、トイレットペーパーを受け部（１）に補充する。
以下、本発明の第２の実施の形態について説明する。
（イ）受け部（１１）とガイド部（１２）（１２）を１枚の紙で構成する。
（ロ）受け部（１１）をトイレットペーパーの幅に対し４ｃｍ程度大きくし、中央と左右にＨ字状になるように切り込み（２０）を入れる。
（ハ）両側のガイド部（１２）（１２）の上部にコの字状の切り込み（１５）（１５）を入れ、吊り部（１３）（１３）を装着するための取り付け穴（１４）（１４）を開ける。
（ニ）厚さが薄く、帯状のひもの吊り部（１３）（１３）を両側のガイド部（１２）（１２）の取り付け穴（１４）（１４）に装着する。
使用する場合、受け部（１１）の面（２１）（２１）を折り線（１９）（１９）で山折りにし、受け部（１１）とガイド部（１２）（１２）を折り線（１８）（１８）で谷折りにする。ガイド部（１２）（１２）の面（１６）（１６）を折り線（１７）（１７）で谷折りにする。このように組み立てた状態で、第１の実施の形態と同様、吊り部（１３）（１３）をフック（７）（７）に吊り、受け部（１１）に予備のトイレットペーパーを置き、本発明を使用する。
以下、本発明の第３の実施形態について説明する。
（イ）第１の実施の形態を基本とし、ガイド部（２）（２）を下方に延長し、ガイド部（３２）（３２）を設ける。
（ロ）ガイド部（３２）（３２）の最下部に受け部（３１）を設ける。
（ハ）受け部（３１）の正面、背面に縁（３５）（３５）を設ける。
使用する場合、第１の実施の形態と同様、受け部（１）に予備トイレットペーパー（８）を収納する。さらに、受け部（３１）に小物（３６）が収納することが可能となる。
【０００６】
【発明の効果】
トイレットペーパーホルダーのフックに本発明を吊るすことにより、受け部とフックの間に障害となる物が存在しない状態となる。つまり、受け部に置かれた予備トイレットペーパーを掴み、上にスライドするだけで、フックに装着が可能となる。これにより、最短距離でトイレットペーパーホルダーに装着でき、また、片手で簡単に装着できる。予備トイレットペーパーを補充する場合も受け部に置くだけであるため、片手で簡単にできる。また、受け部を平面にすることができるため、トイレットペーパー以外の小物を置くこともでき、取り出しも自由である。受け部を２段にすることにより、トイレットペーパーと小物の両方を置くことができる。
単純な構造であるため、プラスチック、紙、針金などいろいろな素材で作製することができ、製造コストが抑えられる。紙で作成することができるため、平面化することができ、輸送が容易である。
【図面の簡単な説明】
【図１】本発明の斜視図
【図２】本発明の第１の実施の形態を示す斜視図
【図３】本発明の第２の実施の形態を示す展開図
【図４】本発明の第２の実施の形態を示す斜視図
【図５】本発明の第３の実施の形態を示す斜視図
【符号の説明】
１  受け部
２  ガイド部
３  吊り部
４  取り付け穴
５  縁
６  トイレットペーパーホルダー
７  フック
８  予備トイレットペーパー
１１  受け部
１２  ガイド部
１３  吊り部
１４  取り付け穴
１５  切り込み
１６  面
１７  折り線
１８  折り線
１９  折り線
２０  切り込み
２１  面
３１  受け部
３２  ガイド部
３５  縁
３６  小物
【図１】
2004223213.tif 000003
【図２】
2004223213.tif 000004
【図３】
2004223213.tif 000005
【図４】
2004223213.tif 000006
【図５】
2004223213.tif 000007
(57)【要約】【課題】乗用車などを洗車するとき、タオル等を四つ折り、或いは八つ折りにした雑巾を取り落としたりホースを持つ手に神経をとがらせないで洗車がしやすいように、布を重ね合わせた任意の厚さの雑巾に放水口をつけた放水口付襞目状洗車用雑巾を提供する。【解決手段】襞目状に布を成形した任意の厚さの雑巾（１）に、複数の放水口（２）を設けた筒（３）と手差し込みようバンド（７）を設けたことを特長とする。【選択図】  図１
2004223218.tif 000002
【特許請求の範囲】
【請求項１】
襞目状に布を成形した任意の厚さの雑巾（１）に、放水口（２）を設けた筒（３）と、手差し込み用バンド（７）を設けた放水口付襞目状洗車用雑巾。
【請求項２】
襞目状に布を成形した任意の厚さの雑巾（１）に、放水口（２）を設けた筒（３）と手差し込みようバンドを設け、これを筒固定部補強カバー（６）で補強し、この筒固定部補強カバー（６）の表面部に、乾燥後弾力性を有する接着剤或いはコーキング剤等を塗布した放水口付襞目状洗車用雑巾。
【請求項３】
放水口（２）を設けた筒（３）を、襞目状に布を成形した任意の厚さの雑巾（１）に設け、この上から乾燥後弾力性を有する接着剤或いはコーキング剤を塗布した、放水口付襞目状洗車用雑巾。
【発明の詳細な説明】
【０００１】
【発明の属する技術分野】
この発明は、襞目状に布を成形した任意の厚さの雑巾に、放水口を設けた筒と、手差し込みようバンドを設けた、放水口付襞目状洗車用雑巾に関するものである。
【０００２】
【従来の技術】
従来、タオル等を四つ折り或いは八つ折り等にして、洗車用雑巾として片手に持ち、もう一方の手に放水用のホースを持って多量の水をかけて洗車をしていた。
【０００３】
【発明が解決しようとする課題】
従来は、次のような欠点があった。
従来、洗車をするときに、タオル等を八つ折り等にした雑巾とホースは別々の手に持って洗うため、雑巾の位置に水を掛けて洗車をするには、両方の手を同時に同じ方向に向けるように体をひねるか、或いは、多量の放水で雑巾の近くに水をかけながら、ボデーをこするの動作で洗車をするので多大の労力と多量の水をつかうことが多かった、又ボデーをこする動作中に雑巾が手から放れ落ちて土砂等が雑巾に付着し、この雑巾の土砂等を洗い落としてから再度洗車の作業をしなければならなく、かなり無駄な水と多大な労力を有する作業であった。
本発明は、以上のような欠点をなくすためになされたものである。
【０００４】
【課題を解決するための手段】
襞目状に布を成形した任意の厚さの雑巾（１）に、放水口（２）を設けた筒（３）と手差し込み用バンド（７）を設ける。
本発明は、以上の構成によりできた放水口付襞目状雑巾である。
洗車をするときはこの手差し込みようバンド（７）部と一体になった放水口付襞目状雑巾「図２」を持ち、給水ホース接続部（４）に給水ホースを接続して水をだせば、襞目状雑巾部から水が流れ出るので片手で洗車をすることができ雑巾を取り落とすこともない、もう一方の手はホースにそえるだけで洗車をすればよい。
【０００５】
【発明の実施の形態】
以下、本発明の実施の形態について説明する。
襞目状に布を成形した任意の厚さの雑巾（１）は、襞目状に布を成形用の基準布（５）に縫製して成形し、この上に複数の放水口（２）を設けた筒（３）と、この上から筒固定部補強カバー（６）を縫製で設けて補強する。
この上に手差し込みようバンド（７）を設けて一体にする。
次に、筒固定部補強カバー（６）の表面部に乾燥後弾力性を有するシリコーン混和物系等の、接着剤或いはコーキング剤等を塗布して襞目状の成形部分を安定させる、上記縫製は接着剤などでの接着でもよい。
本発明は以上のような構造で、これを使用するときは、給水ホース接続部（４）に給水ホースを接続して、一体となった筒固定部補強カバー「図２」の（６）と手差し込みようバンド（７）の中に、五指の中三本の指を入れ親指と小指で筒固定部補強カバー（６）の取り付け部分を挟み持って、水を出しながら車の表面を上下左右等にこすって洗車をする。
【０００６】
【発明の効果】
襞目状に布を成形した任意の厚さの雑巾（１）に、放水口を設けた筒（３）と弾力性をもたせた筒固定部補強カバー（６）及び、手差し込みようバンド（７）を設けて一体となっているので、この放水口付襞目状洗車用雑巾「図２」は手に持ちやすくなり取り落とさなくなった。
襞目状に布を成形した任意の厚さの雑巾（１）部分の中より水が流れ出る構造なので、水のロスもなく多大な労力を必要としないで、この放水口付襞目状洗車用雑巾「図２」を持つ手だけで洗車ができる、もう一方の手はホースにそえるだけでよく多量の水を必要としない。
特に冬期は手の上から水がかからないので、手の冷たさもかなり緩和され多大な労力を必要としない。
この形状は、ホースをつながずに使用すれば、車の表面の水あか等を洗い落とすときの洗剤用の雑巾としても使いやすく、洗剤を含ませて車の表面をこすり次にホースをつないで水をだしながら洗車をすれば洗剤を洗い落としながら雑巾も同時にきれいになる。
この構造は、従来のタオル等を四つ折り或いは八つ折り等のように洗車作業中に取り落としたりする事がなく多大な労力を要しなく、てぎわよく洗車をすることができる。
【図面の簡単な説明】
【図１】本発明の分解斜視図である
【図２】本発明の斜視図である
【図３】本発明の断面図である
【符号の説明】
１  襞目状に布を成形した任意の厚さの雑巾
２  放水口
３  放水口がついた筒
４  給水ホース接続部
５  襞目状に布を成形用の基準布
６  筒固定部補強カバー
７  手差し込みようバンド
【図１】
2004223218.tif 000003
【図２】
2004223218.tif 000004
【図３】
2004223218.tif 000005
(57)【要約】【課題】本発明は、顔等の保温をすることにより顔等を暖め、発汗を促すとともに毛穴を開かせる効果が期待できるヘッドシールドを提供する。【解決手段】人の頭をすっぽり覆うことが出来、前面に透明の部分７を設け、前側と横側を末広がりに作り、内側になだらかなライン状の突起物２とその周辺に排気穴３を設ける。又、本体前面の下の部分に欠けさせた部分８を設ける。【選択図】図１
2004223219.tif 000002
【特許請求の範囲】
【請求項１】
人の頭をすっぽり覆うことが出来、前面に透明の部分７を設け、前側と横側を末広がりに作り、内側になだらかなライン状の突起物２とその周辺に排気穴３を設ける。又、本体前面の下の部分に欠けさせた部分８を設ける。
【請求項２】
請求項１の本体前面を透明にし、なお且つ開閉可動式にする。
【発明の詳細な説明】
【０００１】
【発明の属する技術分野】本発明は、風呂場等において、効率良く顔、頭等を保温、発汗させるヘッドシールドに関する物である。
【０００２】
【従来の技術】従来は風呂等に入っても、短時間では顔等からの発汗は少なく、顔等を洗っても表面のみの洗浄で終わっていた。
【０００３】
【発明が解決しようとする課題】風呂等に長時間入らない限り顔等からの発汗は少ない。よって毛穴もあまり開かず表面だけの洗浄に終始していた。
【０００４】
【課題を解決するための手段】上記問題を解決するために、人の頭をすっぽり覆うことが出来、前面に透明な部分７を設けたヘッドシールド本体１の前側と横側を末広がりにし、内側の頭頂部にあたる部分になだらかなライン状の突起物２を設け、その周辺に排気穴３を設ける。又、本体前面の下の部分に、欠けさせた部分８を設ける。
【０００５】
【発明実施の形態】人の頭をすっぽり覆うことが出来、前面に透明な部分７を設けたヘッドシールド本体１の前側と横側を末広がりにし、内側の頭頂部にあたる部分に本体１を安定させる為、なだらかなライン状の突起物２を設け、その周辺に排気穴３を設ける。又、本体前面の下の部分に、欠けさせた部分８を設ける。
【０００６】
【実施例】本発明のヘッドシールド１を使用するときは、頭頂部にライン状の突起物２が、あたる様にヘッドシールド１を頭にかぶるだけである。
【０００７】
【発明の効果】
以上のように本実施例によれば、本体１の前側と横側が末広がりになっている事により、ヘッドシールドの下から昇る風呂の湯気を効率よく集めることが出来る。また、本体１の内側の頭頂部にあたる部分に、ライン状の突起物２を設け、その周辺に排気穴３を設けることで、本体を安定させ、なお且つ湯気の通路を確保した事により湯気の流れが出来、これにより絶えず新鮮な湯気が、顔等を通過することになる。さらに、本体の前面に透明な部分７を設けたことにより、本体を被ったときに前側が見渡せるので安全である。また、本体の下側に欠けた部分を設けたことにより、呼吸が不自由なく出来ることにより酸欠防止になる。さらに請求項２により、本体前面を透明にし、なお且つ開閉可動式にすることにより、顔の奥行きの長い人にも対応することが出来る。これらの結果から、短時間に効率よく顔、頭等を暖め発汗でき毛穴も開く為、より洗浄効果が期待できる。
【図面の簡単な説明】
【図１】本発明の斜視図
【図２】本発明の側面断面図
【図３】本発明の正面断面図
【図４】本発明第２の実施例の側面図
【図５】本発明第２の実施例の開閉をあらわした側面図
【図６】本発明の実施例
【符号の説明】
１  ヘッドシールド本体
２  ライン状の突起物
３  排気穴
４  風呂釜
５  風呂蓋
６  湯気
７  本体前面の透明な部分
８  本体前面の欠けさせた部分
【図１】
2004223219.tif 000003
【図２】
2004223219.tif 000004
【図３】
2004223219.tif 000005
【図４】
2004223219.tif 000006
【図５】
2004223219.tif 000007
【図６】
2004223219.tif 000008
(57)【要約】【課題】  ゼンマイの反発力をエネルギーとするゼンマイ式ローラースケートを提供する。【解決手段】  後部のローラーのシャフトにピニオンを設け、数段のギアとの組み合わせで減速させ、ゼンマイに取り付け、スケートの踵の部分に突起を設けることを特徴とするゼンマイ式ローラースケート。【選択図】  図１
2004223282.tif 000002
【特許請求の範囲】
【請求項１】
ゼンマイの反発力をエネルギーとするゼンマイ式ローラースケート。
【発明の詳細な説明】
【技術分野】
【０００１】  本発明は、ゼンマイの反発力をエネルギーとするゼンマイ式ローラースケートに関するものである。
【背景技術】
【０００２】  従来、電動式のローラースケートがあった。
【発明の開示】
【発明が解決しようとする課題】
【０００３】  そのために、次のような問題点があった。
モーターとバッテリーを装備しなければならず、大がかりで高価なものであった。
【課題を解決するための手段】
【０００４】  後部のローラーのシャフトにピニオンを設け、数段のギアとの組み合わせで減速させ、ゼンマイに取り付け、スケートの踵の部分に突起を設ける。以上を特徴とするゼンマイ式ローラースケートである。
【発明の効果】
【０００５】  モーターとバッテリーによらず、ゼンマイの反発力で自然にローラースケートを前進させることができ、安価である。
【発明を実施するための最良の形態】
【０００６】  以下、本発明の実施の形態について説明する。
（イ）  駆動部ケーシング（１）の内部に、後部のローラー（２）のシャフト（３）に        ピニオン（４）を設け、ギア（５）との数段の組み合わせで減速させ、ゼンマイ        （６）に取り付ける。ゼンマイ（６）の外側の一端を駆動部ケーシング（１）に        ゼンマイ固定ピン（８）で固定する。
（ロ）  スケートの踵の下部に、硬質ゴム製の突起（７）を設ける。
本発明は、以上のような構成で、これを使用するときは、左右のローラースケートを交互に、突起（７）と後部のローラー（２）を地面に付け固定させ、固定してない方の後部のローラースケートの後部ローラー（２）を地面に接し、後方へ転がしてゼンマイ（６）を巻き、後は、ローラースケートに乗れば、ゼンマイ（６）の反発力のエネルギーでローラー（２）が回転し、前進する。
【図面の簡単な説明】
【０００７】
【図１】  本発明の外観図
【図２】  本発明の駆動部の原理図
【符号の説明】
【０００８】    １  駆動部ケーシング
２  後部のローラー
３  シャフト
４  ピニオン
５  ギア
６  ゼンマイ
７  突起
８  ゼンマイ固定ピン
【図１】
2004223282.tif 000003
【図２】
2004223282.tif 000004
(57)【要約】【課題】着脱には何らの支障がなく、歩くときには滑らない安全なサンダルを提供する。【解決手段】サンダル台の上面に一定以上の押圧力が加えられるとその面が滑り難くなる機能を有する粘着シートを取り付けた。【選択図】        図１
2004223209.tif 000002
【特許請求の範囲】
【請求項１】
サンダル台の上面の少なくとも土踏まずの部分から後位に、体重により一定以上の押圧力が加えられると足裏のその部位と密着状態になり、その面の粘着力が増大して足の滑りを抑制する効果を有するゲル状の粘着性シートを取り付けたことを特徴とするサンダル。
【請求項２】
厚さが１〜３ｍｍで、サンダル台の上面の少なくとも土踏まずの部分から後位に取り付けるものであって、手で触れた程度では殆んど粘着力を感じず、足を乗せられると足の裏の凹凸形状に合致して変形して足裏のその部位と密着状態になり、その面の粘着力が増大して足の滑りを抑制する効果を有するゲル状の粘着性シート。
【発明の詳細な説明】
【０００１】
【発明が属する技術分野】
本発明は、サンダル台に一定以上の力か加えられるとその面に滑り止めの機能が生じるサンダル及び滑り止めの機能を生じさせるシートに関するものである。
【０００２】
【従来の技術】
サンダルはサンダル台とアーチ形のバンドとから成り、サンダル台とバンドとの間に足を挿し入れることにより履くようになっている極めて簡易な履き物である。
【０００３】
【発明が解決しようとする課題】
サンダルは構造が簡単であり、しかも材質やデザインを靴と同じように様々に選択することが出来ることから、日用品として用いられるだけでなく、ファッション性のある履き物としても広く用いられている。
ところがこのサンダルは、上記したようにサンダル台とバンドとの間に足を挿し入れることにより履くものであるから、これを履いたときは足はサンダルに固定されず、云わば足はサンダル台に乗っていてバンドによりサンダル台との前後左右の方向へのずれを規制されているに過ぎない状態となるものである。
ここでサンダルを履いて歩くときの、足とサンダル台との関係について記す。
先ず、足の踵が上げられ、その爪先が未だ残っている間はサンダル台はそのまゝ地面に接地した状態に保たれる。続いで爪先も上げられるとサンダル台は踵の部分が跳ね上がって足の裏に当たり、その足が上げられている間中サンダル台はバンドにより足の甲に吊り下げられた状態となる。
次に、足が降ろされると、サンダル台が地面に接地し、その上に足が乗ることゝなる。
足に対してサンダル台はバンドによって吊り下げられていて、その位置はバンドにより規制されているに過ぎないので、足がサンダル台に乗る位置は必ずしも規定されていない。しかもサンダル台は踵の部分が高くなっていて、前方へ向かって下傾していることゝ体の進行方向がサンダル台の向きに正確には一致しないことからこれに乗ると同時に前方への滑り傾向が生じる。
このようなことからサンダルを履いては跳んだり走ったりすること難しく、また長距離の歩行には適さず、疲れやすいと云う問題がある。
殊に、ヒールの高いサンダルでは足がぐらつい転倒する可能性があり、捻挫をする危険さえあった。
このような不具合を解消する方策として従来はサンダル台の上面の静摩擦力を大きくすることにより足が滑らなくしたサンダルが試みられた。
ところがサンダルはバンドの間へ足を滑り込ませて挿し込むことにより履くものであるから上面の滑らないサンダルでは履いたり脱いたりする操作に抵抗が生じる、と云う問題があった。
本発明は、着脱には何らの支障がなく、歩くときには滑らない安全なサンダルを提供することを目的としている。
【０００４】
【課題を解決するための手段】
本発明に係るサンダルは、サンダル台の上面に一定以上の押圧力が加えられるとその面が滑り難くなるように構成したことを特徴としている。
【０００５】
【発明の実施の形態】
本発明に係るサンダルは、不使用時には（殆ど押圧力が加えられない状態のときは）表面の粘着力、換言すれば静摩擦力が極めて小さく、一定以上の押圧力が加えられるとその面が押圧物の押圧面（足裏）の凹凸形状に合致した形状に変形して密着し、押圧面に対して粘着力が発揮されて滑りを抑制する効果を有するゲル状の粘着性シートをサンダル台の上面に取り付けるとにより、サンダルを履いて立つと、足裏に対する滑り止めの機能が発揮されるように構成してある。
【０００６】
【実施例】
以下、本発明に係るサンダルの一実施例を図面に基づいて具体的に説明する。
図１はヒールの高いサンダルを示すもので、サンダル台１とバンド２とから成り、サンダル台１の上面は合成皮革や合成樹脂製シートが張られており、踵の部分にはヒール３が取り付けられていて、その分だけサンダル台１の踵の部分が高くなり、土踏まずの部分と踵の部分の傾斜角度が大きくなっている。
サンダル台１の上面には適度な柔軟性と僅かな粘着性を有するゲル状の粘着性シート４が取り付けられている。
この粘着性シート４は手で触れた程度では殆ど粘着力を感じず、サンダル台１の上面に圧接するとサンダルを履いたり脱いたりすることによっては剥離せず、しかも手で引き剥がすことが出来る程度の粘着力を有するもであり、厚さが１〜３ｍｍ程度で足を乗せられると足の裏の凹凸形状に合致して変形する柔軟性を有し、足による押圧力が除かれると原形に復帰するもの、例えば「コスモゲル」（商品名）である。
ところで図ではゲル状の粘着性シート４は踵の部分にだけ取り付けた一例を示してある。
これは図に示すヒールの高いサンダルでは土踏まずの部分には殆んど体重が掛からないので、この部分に粘着性シート４を取り付けても殆んどその効果が発揮されないためであって、踵の低いサンダルでは土踏まずの部分にも体重が掛かるので、この部分に粘着性シート４を取り付けるのがよい。
【０００７】
【発明の効果】
以上説明したように本発明のサンダルは、少なくとも土踏まずの部分から後位に、体重により一定以上の押圧力が加えられると足裏のその部位と密着状態になり、その面の粘着力が増大して足の滑りを抑制する効果を有するゲル状の粘着シートを取り付けたもので、上げた足を降ろして体重が掛けられると粘着性シートのその部分が足の裏の凹凸形状に合致して変形し、足の裏に密着して、足の滑りが止められる。
その結果、歩行の安全が確保されて、長距離や長時間歩行しても疲れることがなくなる。
更に、ぐらついた転倒したり、或いは捻挫したりする可能性も無くなる効果がある。
【図面の簡単な説明】
【図１】本発明に係るサンダル一例を示す斜視図である。
【符号の説明】
１    サンダル台
２    バンド
３    ヒール
４    粘着性シート
【図１】
2004223209.tif 000003
(57)【要約】〔課題〕  この発明は、Ｖ字形帯状弾性布地の両端に耳あてを付けた、耳からほっぺたそして口と、顔全体を防寒する耳あて付きマスクに関するものである。〔解決手段〕（イ）Ｖ字形帯状弾性布地１の両端部に袋２を設け、その袋２端部にマジックテープ３を設ける。（ロ）Ｖ字形帯状弾性布地１の内側両端部に耳かけ４を設け、その耳かけ４端部にマジックテープ５を設ける。【選択図】  図３
2004223205.tif 000002
【特許請求の範囲】
【請求項１】
（イ）Ｖ字形帯状弾性布地１の両端部に袋２を設け、その袋２端部にマジックテープ３を設ける。
（ロ）Ｖ字形帯状弾性布地１の内側両端部に耳かけ４を設け、その耳かけ４端部にマジックテープ５を設ける。
以上の構成からなる耳あて付きマスク。
【発明の詳細な説明】
【０００１】
〔発明の属する技術分野〕
帯状弾性布地に耳あてを付けた、耳あてマスクに関するものである。
【０００２】
〔従来の技術〕
従来のマスクは、口の回りを覆っただけのものである。
【０００３】
〔発明が解決しようとする課題〕
したがって冬の外に使用するには、ほっぺたや耳が露出しているため、顔の防寒にはあまりならず、本案はこの顔の防寒として考案されたものである。
【０００４】
〔課題を解決するための手段〕
その構成を説明をすると、
（イ）Ｖ字形帯状弾性布地１の両端部に袋２を設け、その袋２の端部にマジックテープ３を設ける。
（ロ）Ｖ字形帯状弾性布地１の内側両端部に耳かけ４を設け、その耳かけ４端部にマジックテープ５を設ける。
以上の構成である。
【０００５】
〔発明の実施の形態〕
次に本発明の実施の形態を述べると、Ｖ字形帯状弾性布地１の端部の両方の耳かけ４を両方の耳にかける。そして、両方の袋２を両方の耳にかぶせる。
そして、両方の耳かけ４に付いたマジックテープ５と、両方の袋２に付けたマジックテープ３を合わせてとめる。すると耳あて付きマスクとなる。
又、耳あてとなるこの袋２によって音や声が聞こえにくい時は、耳かけ４と袋２の両方のマジックテープ３、５をはがすことで、耳を袋２の外へ出すことが出来、外の音や声を聞くことが出来る。
又、耳あて付きマスクとしては、弾性布地の素材の他に、毛糸、毛皮も素材として用いることが出来、又次の構成としても、
（イ）Ｖ字形帯状弾性布地１は輪とし、その耳になる位置に穴２を設ける。
（ロ）穴２の横にはつながり帯３を介して、袋４を設ける。
（ハ）袋４端部にマジックテープ６、穴２端部にマジックテープ５を設ける。
以上の構成も耳あて付きマスクとなる。
【０００６】
〔発明の効果〕
口からほっぺた、そして耳まで覆うことで顔の防寒になる。
【図面の簡単な説明】
【図１】本発明の正面図
【図２】本発明の背面図
【図３】本発明の斜視図
【図４】本発明の使用正面図
【図５】本発明の使用側面図
【図６】本発明の他の正面図
【図７】本発明の他の背面図
【図８】本発明の他の斜視図
【符号の説明】
１はＶ字形帯状弾性布地
２は袋
３はマジックテープ
４は耳かけ
５はマジックテープ
〔本発明他の符号の説明〕
１はＶ字形輪帯状弾性布地
２は穴
３はつながり帯
４は袋
５はマジックテープ
６はマジックテープ
【図１】
2004223205.tif 000003
【図２】
2004223205.tif 000004
【図３】
2004223205.tif 000005
【図４】
2004223205.tif 000006
【図５】
2004223205.tif 000007
【図６】
2004223205.tif 000008
【図７】
2004223205.tif 000009
【図８】
2004223205.tif 000010
(57)【要約】［課題］  宝石の業者がケースに指輪を沢山入れて持ち運ぶ時、何かの衝撃で指輪が差し込み穴から抜けてしまいケースの中で散らかってしまう。そのためケースを開ける度に、ならべなおさなければいけなかった。時には指輪が傷ついてしまう事もあった。［解決手段］  指輪ケースの上蓋の内側に柔らかいクッションに仕切りをつけて設置することで指輪の移動がなくなった。更にそのクッションの厚みを上蓋の隙間の高さと同じにすることで、値札をクッションが押さえるのでいつも値札が整然と綺麗な状態で展示できるケースである。【選択図】    図１
2004223204.tif 000002
【特許請求の範囲】
【請求項１】
指輪のケースの上蓋の内側に各指輪をしきる事の出来る柔らかいクッションを使う事により、衝撃から指輪を完全に保護できるケース。
【請求項２】
この柔らかいクッションは、上蓋と本体ケースの間の中敷として取り外しできるようにしても便利だが、上蓋にはめ込んだ方が更に使い易いケースである。
【請求項３】
この柔らかいクッションの上に品の良い、化粧布を張っておけば、一段と高級なケースとして使用できる。
【請求項４】
この柔らかいクッションの厚みは、上蓋の内側の隙間の高さと同じにすることで値札も移動しなくなるケースである。
【請求項５】
各指輪を囲む柔らかいクッションの各穴の形は、四角形、五角形、六角形等の多角形、円形、楕円形、ハート形、ひし形、などいかなる形でも使用できる。
【発明の詳細な説明】
【０００１】
［発明の属する技術分野］
本発明は、宝石の業者が、ケースに指輪を何本も入れて、持ち運んでも、ケースの中で指輪が散らからないようにしたケースである。
【０００２】
［従来の技術］
従来は、持ち運びの途中衝撃で指輪がケースの差込穴から抜け落ちてしまうので、蓋を開けた時は、指輪が散らかり、並べ直さないといけなかった。
【０００３】
［発明が解決しようとする課題］
ケースの中で指輪と値札が移動しない。本発明は、この課題を解消するためになされたものである。
【０００４】
［課題を解決するための手段］
ケースの上蓋の内側に指輪を仕切ることが出来る、柔らかいクッション１を上蓋につけることにより、ケース本体４にある指輪を完全に保護できる。更に、上蓋の隙間の高さと同じ高さのクッション１を使用することで、値札を押さえることが出来るので値札も移動しない。
【０００５】
［発明の実施の形態］
以下、本発明の実施の形態について説明する。
（イ）ケースの上蓋３の内側に上蓋の隙間の高さと同じ厚さのしきりがついた柔らかいクッション１をつける。または、取り外しが出来るようにする。
（ロ）柔らかいクッション１の表面には、品の良い高級なクロス等を貼る。
【０００６】
［発明の効果］
指輪も値札も移動しなく、いつ蓋を開いても整然と綺麗にディスプレイされている。もちろん指輪に傷がつくこともない。
【図面の簡単な説明】
【図１】本発明の正面図である。
【図２】本発明の横断面図である。
【符号の説明】
１  柔らかいクッション
２  柔らかいクッションの表面に貼り付けられた品の良い高級なクロス等
３  ケースの上蓋
４  ケース本体
【図１】
2004223204.tif 000003
【図２】
2004223204.tif 000004
(57)【要約】      （修正有）【課題】食器から食べ物をとる際に、スプーン、フォーク、箸またはそれに相当するものの、すくう、さす、つまむなどの行為を補助し、より簡単に食事ができるようになる突起付き食器を提供する。【解決手段】食器本体１の表面に食器の外側のふちに平行になるように食器のやや内側に突起３もしくは内側に窪んだ段差を設けた事を特徴とする。【選択図】図１
2004223201.tif 000002
【特許請求の範囲】
【請求項１】
食器本体（１）の表面に食器の外側のふちに平行になるように食器のやや内側に突起（３）を設けた突起付き食器。
【請求項２】
食器本体（１）の表面に食器の外側のふちに平行になるように食器のやや内側に内側に窪んだ段差（４）を設けた突起付き食器。
【発明の詳細な説明】
【０００１】
【発明の属する技術分野】
この発明は、様々な種類の食器を使って食事をする際にスプーン、フォーク、箸またそれに相当するものの効果を補助し、それぞれをすくいやすく、さしやすく、またつかみやすくするための突起付き食器である。
【０００２】
【従来の技術】
従来は、食器に段差状のものがついてあるものもあったが、明確にスプーンなどの効果を補助するためのものとは言えず、最後に残った食べ物が食べにくかった。
【０００３】
【発明が解決しようとする課題】
これには次のような欠点があった。
（イ）従来の食器はしっかり引っかかる部分がなく、特に、最後に残った食べ物が食べにくかった。
（ロ）食べにくいがゆえに食べ残された具材や米が洗い物のとき残飯となっていた。
（ハ）食べ残しの多い食器は見た目にもきれいであるとは言いがたく、食事を作って出した者、またその食器を使って食事を終えた者にとっても、特によい気分を与えるものではなかった。
本発明はこれらの欠点を除くためになされたものである。
【０００４】
【課題を解決するための手段】
食器本体（１）の表面に食器の外側のふちに平行になるように食器のやや内側に突起もしくは内側に窪んだ段差（２）を設ける。
本発明は以上のような構成からなる突起付き食器である。
【０００５】
【本発明の実施の形態】
本発明の実施の形態について説明する。
食器本体（１）の表面に食器の外側のふちに平行になるように食器のやや内側に突起もしくは内側に窪んだ段差（２）を設ける。
発明は以上のような構造で、これを使用するときには、スプーン（５）、フォーク（６）、箸（７）またはそれに相当するものを使い、食器本体（１）にのっている食べ物（８）を突起もしくは内側に窪んだ段差（２）に寄せる事で固定する。
【０００６】
【発明の効果】
このようにスプーン（５）、フォーク（６）、箸（７）またはそれに相当するものの効果を補助する事ができ、残飯も減ることで洗い物もしやすくなる。かつ見た目にきれいに食事をする事ができ食べた者、作った者、洗う者にとってもより良い気分を提供する事ができる。
【図面の簡単な説明】
【図１】本発明の突起を付けた場合の使用状態を示す断面図である。
【図２】本発明を水平に置いた場合の真上から見た図である。
【図３】本発明の内側に窪んだ段差をつけた場合の使用状態を示す断面図である。
【図４】本発明の箸、フォークの場合の使用状態を示す断面図である。
【符号の説明】
１．食器本体
２．突起もしくは内側に窪んだ段差
３．突起
４．内側に窪んだ段差
５．スプーン
６．フォーク
７．箸
８．食べ物
【図１】
2004223201.tif 000003
【図２】
2004223201.tif 000004
【図３】
2004223201.tif 000005
【図４】
2004223201.tif 000006
(57)【要約】【課題】本発明の着脱可能なケース形メモリアル札板を位牌に挿入し使用することで、礼拝者が他者と混同することなく供養することが出きる。また、位牌本体のチリや手垢による汚れや、大事な戒名や享年等を記載した文字が薄れたりすることを保護することができる。なお、本メモリアル札板は既存の位牌を加工せずにそのままの状態で使用する事ができる事を課題とする。【解決手段】既存の位牌に、この着脱可能なケース形メモリアル札板挿入する。このメモリアル札板は表側に故人の写真（遺影）や俗名を表示することで、他者と混同することなく礼拝する故人の位牌を認識することが可能である。また、着脱可能であるため法事等の際、必要に応じて位牌から取り外し位牌のみを祭壇に置くことが出きる。場合によっては位牌と並べて本メモリアル札板を置くことも出きる。【選択図】  図３
2004223208.tif 000002
【特許請求の範囲】
【請求項１】
位牌に故人のイメージと、その名前などを表示して、礼拝者に他者と混同することなく供養できることを特徴とする位牌に着脱可能なケース影メモリアル札板。
【請求項２】
既存の位牌を加工せずにそのままの状態で使用することの出きる着脱可能なケース形メモリアル札板。
【請求項３】
大切な位牌の表面を、チリや手垢などから保護することを目的とした、位牌の一部もしくは全体の表面を覆う着脱可能なケース形メモリアル札板。
【発明の詳細な説明】
【０００１】
【発明の属する技術分野】
本発明は、故人を供養するための位牌（仏壇に置く位牌、過去帳代りに使用する、繰り込み式位牌、寺位牌を含む）に関するものである。
【０００２】
【従来の技術】
従来位牌とは、故人の戒名（法名）が書かれた長方形の位牌で、常時仏壇に安置して、その家族が故人の供養の対象としていた。しかし、従来の位牌では、表側に戒名、裏側に享年等が明記してあるだけのため、他者と混同し、礼拝する故人の位牌を認識することが困難であった。また位牌本体が剥き出しのためチリや手垢による位牌の汚れも目立った。
【０００３】
【発明が解決しようとする課題】
そこで、本発明のメモリアル札板を使用することで、礼拝者が他者と混同することなく供養できる。また、位牌本体のチリや手垢による汚れや、大事な戒名や享年等を記載した文字が薄れたりすることを保護することができる。
なお、本メモリアル札板は既存の位牌を加工せずにそのままの状態で使用する事ができる事を課題とする。
【０００４】
【発明を解決するための手段】
上記課題を解決するために、請求項１，２，３に記載の着脱可能なケース形メモリアル札板は表側に故人の写真（遺影）や俗名を表示することで、他者と混同することなく礼拝する故人の位牌を認識することが可能である。また、着脱可能であるため法事等の際、必要に応じて位牌から取り外し位牌のみを祭壇に置くことが出きる。場合によっては位牌と並べて本メモリアル札板を置くことも出きる。
【０００５】
【発明の効果】
本発明は以上に説明したような構成により次のような効果を奏する。
○  故人の写真（遺影）や俗名を表示することで、常に故人を心に思って偲ぶ事が出きる。
○  特に故人の位牌の多い家庭、歴史の古い家などでは、遺影を置く場所に苦労することなく仏壇内の場所を有効に利用できる。
○  大事な位牌をチリや手垢から保護することができる。
【図面の簡単な説明】
【図１】従来の位牌を示す図である
【図２】本考案の第１の実施例を示す図である。
【図３】第１の実施例を位牌に装着した状態を示す図である。
【図４】第２の実施例を位牌に装着した状態を示す図である。
【図５】第３の実施例を位牌に装着した状態を示す図である。
【図６】第４の実施例を位牌に装着した状態を示す図である。
【図７】第５の実施例を位牌に装着した状態を示す図である。
【符号の説明】
１        着脱可能なケース形メモリアル札板
１ａ      故人の写真（遺影）
１ｂ      写真保護透明カバー
１ｃ      俗名
１ｄ      背面窓又は穴
２        位牌
２ａ      戒名
２ｂ      享年等
３        前掛け型着脱可能なメモリアル札板
４        粘着板型着脱可能なメモリアル札板
５        分割型着脱可能なケース形メモリアル札板
５ａ      前面分割型着脱可能なメモリアル札板
５ｂ      背面分割型着脱可能なメモリアル札板
６        嵌め込み型着脱可能なメモリアル札板
７        嵌め込み型専用位牌
【図１】
2004223208.tif 000003
【図２】
2004223208.tif 000004
【図３】
2004223208.tif 000005
【図４】
2004223208.tif 000006
【図５】
2004223208.tif 000007
【図６】
2004223208.tif 000008
【図７】
2004223208.tif 000009
(57)【要約】      （修正有）【課題】低温やけどを防止できる暖房用具の提供。【解決手段】加熱素材である小麦２を入れた内袋１を電子レンジから取り出す時と外袋に入れる時に袋内部の小麦が袋の中で適度に混ざり合い、袋全体としての一定の温度を確保する事が出来る。また、小麦は何度でも加熱して使用でき、加熱後は小麦のほのかな香りが心地よい。【選択図】図１
2004223202.tif 000002
【特許請求の範囲】
【請求項１】
小麦（種子）を布袋に入れ、レンジで暖めて使用する暖房用具
【発明の詳細な説明】
この発明は、小麦を布袋に入れ、レンジで暖めて使用する暖房用具に関するものである。
冬場の寒い時期にカイロ、湯たんぽ、電気あんか等を使用している人達が多いと考えられるが、知らないうちに「低温やけど」にかかったり、ひどい時には皮膚細胞が壊死していたケースもあったとの事。特に高齢になると体の保温機能が低下したり皮膚感覚が鈍くなるため、その事例が高くなるようである。
本発明は、このような低温やけどを防止した暖房用具で、始めに設定した温度から高くならず、お年寄りから子供まで安心して使用でき、ほのかな温もりがスムースな眠りに導いてくれる。
これを図面において説明すれば（１）内袋：３０ｃｍ×３５ｃｍの布袋に約１ｋｇの小麦を入れ、電子レンジで約３〜４分間暖める。（２）外袋：内袋より肌触りのよい厚い布袋、３０ｃｍ×３５ｃｍにレンジから取り出して入れ、寝床の足下に置いて使用する。
【図面の簡単な説明】
【図１】本発明の内袋及び内面図
【図２】本発明の外袋図
【符号の説明】
（１）内袋（木綿製）
（２）小麦（種子）
（３）外袋
【図１】
2004223202.tif 000003
【図２】
2004223202.tif 000004
(57)【要約】【課題】滑走面に蓄光層を有するスケート場において、滑走時に蓄光層に光跡として滑った跡を見ることを可能とし、また、滑走面に蛍光層を有するスケート場においては足元周囲を発光せしめ、ファッション性を向上させることを可能とするスケート靴を提供する。【解決手段】スケート靴（３）に滑走面（８）に向けて紫外線を照射する紫外線照明装置（１）と滑走手段（４）の接地状態を検出する接地検出手段（２）を備え、接地を検出している時には紫外線照明装置が紫外線を照射し、滑走手段の離陸を検出している時には紫外線を減光する（消灯を含む）スイッチ回路（７）を備えることを特徴とする。【選択図】図１
2004223210.tif 000002
【特許請求の範囲】
【請求項１】
車輪、ブレードなどの滑走手段（４）を有するスケート靴（３）において、スケート場の滑走面（８）に向けて紫外線を照射する紫外線照明装置（１）を備えたスケート靴。
【請求項２】
スケート靴（３）の滑走手段（４）が接地状態か、離陸状態かを検出するためのスイッチ、もしくは感圧センサーなどの接地検出手段（２）を備えた請求項１記載のスケート靴。
【請求項３】
前記接地検出手段（２）が滑走手段（４）の接地を検出している時には請求項１記載の紫外線照明装置（１）が紫外線を照射し、滑走手段（４）の離陸を検出している時には紫外線を減光する（消灯を含む）スイッチ回路（７）を有する請求項１記載のスケート靴。
【請求項４】
前記スイッチ回路（７）は接地検出手段（２）が請求項３の機能を兼ね備える場合においては省略が可能である請求項１記載のスケート靴。
【発明の詳細な説明】
【０００１】
【発明の属する技術分野】
本発明は、滑走面に向けて紫外線を照射する照明装置と、滑走手段の接地状態を検出する接地検出手段を備え、スイッチ回路によって、接地を検出している時には紫外線照明装置が紫外線を照射せしめ、滑走手段の離陸を検出している時には紫外線を減光せしめる（消灯を含む）ようにしたスケート靴に関するものである。
【０００２】
【従来の技術】
従来のスケート靴は、主に滑走走行するための基本機能のみが追求されていた。
【０００３】
【発明が解決しようとする課題】
これには、以下のような欠点があった。
１．スケートはスキーのシュプールのように滑った跡がはっきりと残らないため、外部から観察、カメラ撮影等をしてもスケーターの脚の運びや軌道を見て楽しんだり滑り方を学んだりすることが困難であった。
２．スケーターが美しく目立つためにはスケート靴はほとんど寄与せず、衣装や外部からの照明に頼らなければならなかった。
本発明は、これらの欠点を失くすためになされたものである。
【０００４】
【課題を解決するための手段】
スケート場の滑走面（８）に向けて紫外線を照射する紫外線照明装置（１）とスケート靴（３）に備わる滑走手段（４）の接地状態を検出する接地検出手段（２）を備え、スイッチ回路（７）によって接地を検出している時には紫外線照明装置（１）が紫外線を照射し、滑走手段（４）の離陸を検出している時には紫外線を減光せしめる（消灯を含む）。
本発明は以上の構成よりなるスケート靴であり、滑走面（８）に蓄光層もしくは蛍光層（９）を備えたスケート場で本発明を使用することにより課題が解決される。
【０００５】
【発明の実施の形態】
以下、本発明の実施の形態について説明する。
特記なき場合は、左右両方のスケート靴について述べる。
実施例として図１に滑走手段としてブレードを備えたアイススケート用のスケート靴を示すが、本発明の対象は、滑走手段として車輪を備えたローラースケート、インラインスケートなどのスケート靴も含む。
【０００６】
スケート靴（３）に紫外線照明装置（１）を設ける。
紫外線の照射方向は滑走面（８）に向け、紫外線が滑走面（８）に届くようにする。
本発明でいう紫外線照明装置（１）とは、強い紫外線を含む光を照射する照明装置であり、この照射光に可視光線が含まれてはならないという意味ではない。紫外線照明装置（１）の光源には衝撃に強い紫発光ダイオード（５）などが望ましい。
【０００７】
紫外線照明装置（１）はバッテリー（６）を電源とし、バッテリー（６）はスケート靴（３）に内蔵してもよいし、スケート靴（３）から配線を伸ばしてスケーターの着衣のポケット等に納めてもよい。
この場合、スケート靴（３）に備えた場合に左右それぞれに必要であるバッテリー（６）をひとつにまとめることが出来る。
【０００８】
スケート靴（３）に備わる滑走手段（４）の接地状態を検出するための接地検出手段（２）をこの手段を機能させるために適した位置に備える。
図１に示す実施例では接地検出手段（２）を感圧センサーとしている。
感圧センサーはこれに加わる過重によって抵抗値が変化するものであり、固定抵抗器と直列に接続すれば、抵抗値変化を分圧電圧値として取り出すことが出来る。スケーターの体重が一定値以上センサーに加わった時の電圧を接地状態と判定し、スイッチ回路（７）内の比較回路によってこの判定を行い、トランジスタによって紫外線照明装置（１）を点灯させる。また、逆にセンサーに加わるスケーターの体重が一定値以下の時は同様にしてこれを判定し、紫外線照明装置（１）を減光もしくは消灯せしめる。
この制御により、足が接地している場合のみ強く発光するため、バッテリーの電流消費も節約出来る。
スイッチ回路（７）はスケート靴（３）に内蔵してもよいし、バッテリーと一体の筐体に納め、バッテリー（６）とともにスケート靴（３）から配線を伸ばしてスケーターの着衣のポケット等に納めてもよい。
尚、接地検出手段（２）が紫外線照明装置（１）のスイッチの機能を兼ねる場合は、スイッチ回路（７）は省略が可能である。
【０００９】
【発明の効果】
スケート場の滑走面が蓄光塗料による塗装や、蓄光材料によって蓄光層が構成されている場合において、滑走面に接地している足元が紫外線によって蓄光し、蓄光層が一定時間自発光する。
滑走時には蓄光層に光跡として滑った跡が残るため、外部から観察すると、スケーターの脚の運びや軌道を見る楽しみが向上し、滑り方を学ぶためにも便利となる。
スケート場の滑走面が蛍光塗料による塗装や、蛍光色材料によって蛍光層が構成されている場合において、接地している足元が本発明のスケート靴により紫外線により照らし出されて発光し、ファッション性が向上し、見た目に美しい。
【図面の簡単な説明】
【図１】本発明の断面図
【符号の説明】
（１）  紫外線照明装置
（２）  接地検出手段
（３）  スケート靴
（４）  滑走手段
（５）  紫発光ダイオード
（６）  バッテリー
（７）  スイッチ回路
（８）  滑走面
（９）  蓄光層または蛍光層
【図１】
2004223210.tif 000003